(57)【要約】 【課題】  情報提供システムが情報の利用者に対して主情報および副情報を提供し、主情報の提供を受けた利用者が任意に情報取り込みシステムを用いて副情報を取り込む情報授受システムを提供する。【解決手段】  情報提供制御部１３０は入力された情報から主情報を主情報提供部１１０に副情報を副情報提供部１２０に渡す。主情報表示部１１１は主情報を電光文字やテレビジョン映像として表示する。副情報提供部１２０はエンコード部１２１により副情報を２次元ドットで表現される多次元ドットコードにコード化し、２次元に画素単位が配列された多次元ドットコード表示部１２２の画素単位の点灯を制御して多次元ドットコードを表示する。利用者は主情報に興味があれば、多次元ドットコード表示部１２２をカメラ部２１０により撮影し、撮影画像をデコード部２２０によりデコードすることにより副情報を得る。【選択図】  図１
2005038181.tif 000002
【特許請求の範囲】
【請求項１】
情報提供システムが情報の利用者に対して主情報および副情報を提供し、前記主情報の提供を受けた前記利用者が任意に情報取り込みシステムを用いて前記副情報を取り込む情報授受システムであって、
前記情報提供システムが、
主情報表示部を備え、前記主情報表示部を用いて前記利用者に対して前記主情報を提供する主情報提供部と、
縦横２次元に画素単位が配列された多次元ドットコード表示部と、前記利用者に提供する前記副情報を縦横の２次元ドットで表現された多次元ドットコードにコード化するエンコード部とを備え、前記多次元ドットコード表示部の画素単位を用いて前記多次元ドットコードを表示することにより前記利用者に対して前記副情報を提供する副情報提供部とを備え、
前記情報取り込みシステムが、
前記主情報を受けた利用者の操作により前記情報提供システムの多次元ドットコード表示部に表示される多次元ドットコードを撮影するカメラ部と、
前記カメラ部において撮影した多次元ドットコード画像をデコードすることにより前記副情報を得るデコード部とを備えた情報授受システム。
【請求項２】
情報提供システムが情報の利用者に対して主情報および副情報を提供し、前記主情報の提供を受けた前記利用者が任意に情報取り込みシステムを用いて前記副情報を取り込む情報授受システムであって、
前記情報提供システムが、
主情報表示部を備え、前記主情報表示部を用いて前記利用者に対して前記主情報を提供する主情報提供部と、
縦横２次元に画素単位が配列された多次元ドットコード表示部と、前記利用者に提供する副情報を縦横の２次元ドットの時間的変化で表現された多次元ドットコードにコード化するエンコード部とを備え、前記多次元ドットコード表示部の画素単位を用いて前記多次元ドットコードを縦横の２次元ドットの時間的変化として表示することにより前記利用者に対して前記副情報を提供する副情報提供部とを備え、
前記情報取り込みシステムが、
前記主情報を受けた利用者の操作により前記情報提供システムの多次元ドットコード表示部に時系列に表示される多次元ドットコード動画像を撮影するカメラ部と、
前記カメラ部において撮影した多次元ドットコード動画像をデコードすることにより前記副情報を得るデコード部を備えた情報授受システム。
【請求項３】
携帯電話に前記カメラ部と前記デコード部を組み込んで前記情報取り込みシステムとした請求項１または２に記載の情報授受システム。
【請求項４】
前記情報提供システムが縦横２次元に画素単位が配列された電光表示パネルを備え、前記電光表示パネルのうち第１の領域を前記主情報表示部の表示面とし、第２の領域を前記多次元ドットコード表示部の表示面とし、
前記電光表示パネルの第１の領域に前記主情報を電光表示文字で表示し、
前記電光表示パネルの第２の領域に前記多次元ドットコードを表示する請求項１または２に記載の情報授受システム。
【請求項５】
前記情報提供システムが縦横２次元に画素単位が配列された電光表示パネルを備え、前記電光表示パネルが前記主情報表示部の表示面と前記多次元ドットコード表示部の表示面を兼ね、
前記主情報提供部が、前記電光表示パネルを前記主情報表示部の表示面として用いて前記主情報を電光表示文字で表示し、
前記副情報提供部が、前記主情報提供部による前記電光表示パネルへの前記主情報の電光表示に続いて、前記電光表示パネルの少なくとも一部の表示領域を前記多次元ドットコード表示部の表示面として用いて前記多次元ドットコードを表示する請求項１または２に記載の情報授受システム。
【請求項６】
前記情報提供システムが、テレビジョンモニタを含むテレビジョンシステムと、前記テレビジョンモニタの近隣に設けられた縦横２次元に画素単位が配列された電光表示パネルとを備え、
前記主情報提供部が前記テレビジョンモニタを前記主情報表示部の表示面として用い、前記主情報をテレビジョン映像として前記テレビジョンモニタに表示し、
前記副情報提供部が、前記電光表示パネルを前記多次元ドットコード表示部の表示面として用い、前記電光表示パネルに前記多次元ドットコードを表示する請求項１または２に記載の情報授受システム。
【請求項７】
前記副情報が、ＷＷＷ（ワールドワイドウェブ）におけるＵＲＬ（ユニフォームリソースロケーター）または電子メールアドレスである請求項１から６のいずれかに記載の情報授受システム。
【請求項８】
情報提供システムが情報の利用者に対して主情報および副情報を提供し、前記主情報の提供を受けた前記利用者が任意に情報取り込みシステムを用いて前記副情報を取り込む情報授受方法であって、
前記情報提供システムが、
主情報表示部を用いて前記利用者に対して前記主情報を提供し、
前記利用者に提供する副情報を縦横の２次元ドットからなる多次元ドットコードにコード化し、縦横２次元に画素単位が配列された多次元ドットコード表示部の画素単位を用いて前記多次元ドットコードを表示することにより前記副情報を提供し、
前記情報取り込みシステムが、
前記主情報を受けた利用者の操作により前記多次元ドットコード表示部に表示される多次元ドットコードをカメラ装置を用いて撮影し、
前記カメラ装置において撮影した多次元ドットコード画像をデコードすることにより前記副情報を取り込む情報授受方法。
【請求項９】
情報提供システムが情報の利用者に対して主情報および副情報を提供し、前記主情報の提供を受けた前記利用者が任意に情報取り込みシステムを用いて前記副情報を取り込む情報授受方法であって、
前記情報提供システムが、
主情報表示部を用いて前記利用者に対して前記主情報を提供し、
前記利用者に提供する副情報を縦横の２次元ドットの時間的変化で表現された多次元ドットコードにコード化し、縦横２次元に画素単位が配列された多次元ドットコード表示部の画素単位を用いて前記多次元ドットコードを縦横の２次元ドットの時間的変化として表示することにより前記副情報を提供し、
前記情報取り込みシステムが、
前記主情報を受けた利用者の操作により前記多次元ドットコード表示部に時系列に表示される多次元ドットコード画像をカメラ装置を用いて撮影し、
前記カメラ装置において撮影した多次元ドットコード画像をデコードすることにより前記副情報を取り込む情報授受方法。
【発明の詳細な説明】
【技術分野】
【０００１】
この発明は、公衆に対して電光表示システムやテレビジョンシステムなど利用者の五感により認識し得る媒体により主情報を提供し、主情報を見た利用者が必要に応じて主情報に付記された副情報、例えば、主情報の要約情報、ＷＷＷ（ワールドワイドウェブ）のＵＲＬ（ユニフォームリソースロケーター）、電子メールアドレス等の副情報を取り込む情報授受システムに関する。
【背景技術】
【０００２】
情報社会となった昨今、公衆に対して様々な媒体を介して様々な情報が提供されている。情報の利用者は興味に応じて適宜、提供された情報を活用する。ここで、提供された情報について興味が深く、その要約情報を取り込んだり、提供情報の更なる関連情報の入手を望んだりすることがある。典型的には、街角の広告媒体に表示されている情報や、街角の電光表示システムに電光文字で表示される情報や、視聴しているテレビジョンで流されている広告情報などを主情報とし、主情報を見た利用者が当該主情報に興味を持ち、主情報に関連するＵＲＬや電子メールアドレスなどの関連情報をメモランダムに書き留めたり、手持ちの携帯電話などの情報端末にデータとして打ち込んだりする。
主情報およびその関連情報が利用者自身が所有する新聞や雑誌などに印刷されている場合であれば、それら情報は固定性、持続性を有するので、わざわざ利用者がメモランダムなどに書き留める必要はなく、携帯電話などの情報端末にデータを打ち込む場合も印刷文字を参照しつつゆっくり行なえば良い。
【０００３】
しかし、主情報およびその関連情報が電光表示システムに電光文字として表示される場合であれば、それら情報のうち所望の情報を素早くメモランダムなどに書き留めるか携帯電話などの情報端末にデータを素早く打ち込む必要がある。
また、主情報およびその関連情報がテレビジョンモニタにテレビジョン映像として表示される場合も電光表示システムの場合と同様に、それら情報のうち所望の情報を素早くメモランダムなどに書き留めるか携帯電話などの情報端末にデータを素早く打ち込む必要がある。
キー押下の回数を少なくしてメッセージの作成を容易にする工夫などが行なわれているがキー押下による情報の入力についてはその困難性を十分に解消するには至っていない
【特許文献１】特開２００１−８４０８６号公報
【特許文献２】特開平９−４６４４２号公報
【発明の開示】
【発明が解決しようとする課題】
【０００４】
従来技術において、情報が紙媒体以外の方法で提供された場合、例えば、電光表示システムの電光表示やテレビジョンシステムのテレビジョン映像として提供される場合には以下の問題点がある。
【０００５】
第１に、情報表示の固定性、永続性がなくデータの入力が難しいという問題がある。街角の電光表示システムにおいて表示される電光文字は流れて行くので固定性、持続性を有さず、時間経過とともに表示が消えてしまい、主情報に興味を持った利用者がＵＲＬなどの副情報をメモランダムに書き留めたり、手持ちの携帯電話などの情報端末にデータを打ち込んだりするのは困難である。例えば、電光表示システムの電光文字で旅行案内情報が主情報として流れ、当該旅行の申込み先サイトのＵＲＬなどの副情報が電光文字で表示されたとする。情報の利用者が主情報である旅行案内情報に興味を持った場合、副情報である当該旅行の申込み先サイトのＵＲＬを素早く記憶し、携帯電話などの情報端末にデータを打ち込まねばならない。情報の利用者がこれら行為を即座に行なうことは一般的に困難である。ＵＲＬなどの副情報の電光表示を電光表示システム側のプログラミングにより一時停止し、電光文字を多少長めに表示させておくことは可能であるが、逆に当該情報に興味を持たない者にとっては無駄な表示時間が長くなるという弊害が顕著になる。テレビジョン放送として流される情報についても事情は同じである。テレビの旅行案内番組が主情報として流れ、当該旅行の申込み先サイトのＵＲＬが副情報としてテロップでスーパーインポーズ表示されたとする。テレビの視聴者である利用者が主情報である旅行案内情報に興味を持った場合、テロップで表示されている副情報である旅行の申込み先サイトのＵＲＬを素早く記憶し、携帯電話などの情報端末にデータを打ち込まねばならない。電光表示システムの場合と同様、情報の利用者がこれら行為を即座に行なうことは一般的に困難である。
【０００６】
第２に、打ち込みたい副情報の表示タイミングが不明かつその時間も短いという問題がある。また、情報の一覧性に欠けるという問題がある。街角の電光表示システムにおいて表示される電光文字は、先頭文字から順に流れて表示される。通常、主情報を先に表示するので、利用者が主情報の冒頭部分を読んで即座に副情報を入力しようと決心しても、全部の主情報が電光文字で表示し終わるまでＵＲＬなどの副情報は表示されないので、利用者は延々と待たされることとなる。また、表示される副情報がＵＲＬの場合でも電光表示文字で表示する場合は、２０文字〜３０文字程度の文字数からなる場合が多く、電光表示パネルのサイズの制約から一覧表示することはできない。また、最後に一度流れる副情報のデータ打ち込みが完了しなかった場合には、再度同じ情報が繰り返し流されるのを待って未入力の情報部分を入力する必要がある。同様に、副情報が正確に打ち込めたか否か確認したい場合も再度同じ情報が繰り返し流されるのを待って確認する必要がある。
【０００７】
上記問題点に鑑み、本発明は、情報提供者が用いる情報提供システムを介して主情報および主情報に関連する副情報を提供し、主情報の提供を受けた情報の利用者が任意に情報取り込みシステムを用いて副情報を取り込む情報授受システムを提供することを目的とする。
【課題を解決するための手段】
【０００８】
本発明の情報授受システムは、情報提供システムが情報の利用者に対して主情報および副情報を提供し、前記主情報の提供を受けた前記利用者が任意に情報取り込みシステムを用いて前記副情報を取り込む情報授受システムであって、前記情報提供システムが、主情報表示部を備え、前記主情報表示部を用いて前記利用者に対して前記主情報を提供する主情報提供部と、縦横２次元に画素単位が配列された多次元ドットコード表示部と、前記利用者に提供する副情報を縦横の２次元ドットで表現された多次元ドットコードにコード化するエンコード部とを備え、前記多次元ドットコード表示部の画素単位を用いて前記多次元ドットコードを表示することにより前記利用者に対して前記副情報を提供する副情報提供部とを備え、前記情報取り込みシステムが、前記主情報を受けた利用者の操作により前記情報提供システムの多次元ドットコード表示部に表示される多次元ドットコードを撮影するカメラ部と、前記カメラ部において撮影した多次元ドットコード画像をデコードすることにより前記副情報を得るデコード部を備えたものである。
上記構成により、ＵＲＬなどの副情報は縦横２次元の多次元コードにコード化されて小さい領域に表示できるので、情報提供システムは、主情報を提供しつつ、一部領域で多次元ドットコードを同時に表示できる。利用者は主情報を見て興味がある場合には、即座に多次元ドットコードを撮影することにより、副情報を自動的に簡単に取り込むことができる。なお、多次元ドットコードは簡単な２次元ドットパターンであるので表示装置、カメラ装置とも解像度は高精細なものは必要なく、また、デコードも容易であって小さいリソースにより副情報を簡単に得ることができる。
【０００９】
次に、本発明の情報授受システムは、情報提供システムが情報の利用者に対して主情報および副情報を提供し、前記主情報の提供を受けた前記利用者が任意に情報取り込みシステムを用いて前記副情報を取り込む情報授受システムであって、前記情報提供システムが、主情報表示部を備え、前記主情報表示部を用いて前記利用者に対して前記主情報を提供する主情報提供部と、縦横２次元に画素単位が配列された多次元ドットコード表示部と、前記利用者に提供する副情報を縦横の２次元ドットの時間的変化で表現された多次元ドットコードにコード化するエンコード部とを備え、前記多次元ドットコード表示部の画素単位を用いて前記多次元ドットコードを縦横の２次元ドットの時間的変化として表示することにより前記利用者に対して前記副情報を提供する副情報提供部とを備え、前記情報取り込みシステムが、前記主情報を受けた利用者の操作により前記情報提供システムの多次元ドットコード表示部に時系列に表示される多次元ドットコード動画像を撮影するカメラ部と、前記カメラ部において撮影した多次元ドットコード動画像をデコードすることにより前記副情報を得るデコード部を備えたものである。
上記構成により、ＵＲＬなどの副情報は縦横２次元ドットコードの時間的変化として表示されるので、情報提供システムは、主情報を提供しつつ、一部領域で多次元ドットコードを動画像として表示できる。なお、時間次元を考慮しない縦横２次元の多次元ドットコードに比べ、時間次元も加わるので、時間次元を考慮しない縦横２次元の多次元ドットコードに比べてデータ量を多くすることができる。
【００１０】
次に、本発明の情報授受システムにおいて、携帯電話に前記カメラ部と前記デコード部を組み込んで前記情報取り込みシステムとすることができる。
上記構成により、本発明の情報取り込みシステムを携帯電話に組み込み、本発明の副情報の取り込み機能と通常の携帯電話機能を兼用した機器とすることができる。
【００１１】
次に、本発明の情報授受システムにおいて、前記情報提供システムが縦横２次元に画素単位が配列された電光表示パネルを備え、前記電光表示パネルのうち第１の領域を前記主情報表示部の表示面とし、第２の領域を前記多次元ドットコード表示部の表示面とし、前記電光表示パネルの第１の領域に前記主情報を電光表示文字で表示し、前記電光表示パネルの第２の領域に前記多次元ドットコードを表示するものであることが好ましい。
上記構成により、屋外設置または屋内設置の電光表示装置を利用し、電光表示パネルの主要領域（例えば、電光表示パネルの最後尾領域を除く大部分の領域）に主情報を電光表示文字により表示し、副情報を多次元ドットコードにより電光表示パネルの一部領域（例えば電光表示パネルの最後尾領域）に表示することにより、主情報と多次元ドットコードを同時に表示することができるので、利用者は電光表示パネルの主情報を見て興味があれば、電光表示パネルの一部領域に表示されている多次元ドットコードを撮影することにより即座に簡単に副情報を取り込むことができる。屋外設置の電光表示装置であっても、電光表示パネルの画素はＬＥＤ、有機ＥＬ、電球など一つ一つの照度は高く視認性に優れているので、撮影画像において多次元ドットコードのドットパターンを認識できる程度の十分な解像度を得ることができる。
【００１２】
なお、上記構成に代え、前記情報提供システムが縦横２次元に画素単位が配列された電光表示パネルを備え、前記電光表示パネルが前記主情報表示部の表示面と前記多次元ドットコード表示部の表示面を兼ね、前記主情報提供部が、前記電光表示パネルを前記主情報表示部の表示面として用いて前記主情報を電光表示文字で表示し、前記副情報提供部が、前記主情報提供部による前記電光表示パネルへの前記主情報の電光表示に続いて、前記電光表示パネルの少なくとも一部の表示領域を前記多次元ドットコード表示部の表示面として用いて前記多次元ドットコードを表示するものであることも好ましい。
上記構成によれば、電光表示パネルの全面を用いて主情報を電光表示文字で表示し、主情報の表示に続いて電光表示パネルの少なくとも一部の領域を用いて副情報を多次元ドットコードで表示することができる。副情報を表示する電光表示パネルの表示領域を必要に応じて増やすことができ、多次元ドットコードのデータ量を増やすことができる。
【００１３】
次に、本発明の情報授受システムにおいて、前記情報提供システムが、テレビジョンモニタを含むテレビジョンシステムと、前記テレビジョンモニタの近隣に設けられた縦横２次元に画素単位が配列された電光表示パネルとを備え、前記主情報提供部が前記テレビジョンモニタを前記主情報表示部の表示面として用い、前記主情報をテレビジョン映像として前記テレビジョンモニタに表示し、前記副情報提供部が、前記電光表示パネルを前記多次元ドットコード表示部の表示面として用い、前記電光表示パネルに前記多次元ドットコードを表示するものであることが好ましい。
上記構成により、テレビジョンシステムを利用し、テレビジョンモニタに主情報をテレビジョン映像により表示し、副情報をテレビジョンモニタの近隣に設けた電光表示パネルにおいて多次元ドットコードにより表示し、主情報と多次元ドットコードを同時に表示することができるので、利用者はテレビジョン映像の主情報を見て興味があれば、電光表示パネル上の多次元ドットコードを撮影することにより即座に簡単に副情報を取り込むことができる。
【発明の効果】
【００１４】
本発明の情報授受システムによれば、情報提供システムはＵＲＬなどの副情報を多次元ドットコードとして小さい領域に表示できる。利用者は主情報を見て興味がある場合には、情報取り込みシステムを用いて即座に多次元ドットコードを撮影することにより、副情報を自動的に簡単に取り込むことができる。利用者の操作は多次元ドットコードの撮影のみで良いので、従来のように利用者自らが手入力で副情報を入力する必要がなくなる。
多次元ドットコード表示部が電光表示パネルとした場合、多次元ドットコードは輝度の高い簡単な２次元ドットパターンであるので表示装置、カメラ装置とも解像度は高精細なものは必要なく、また、デコードも容易であって小さいリソースにより副情報を簡単に得ることができる。
また、本発明の情報授受システムにおいて、テレビジョンシステムを利用し、テレビジョンモニタに主情報をテレビジョン映像により表示し、副情報をテレビジョンモニタの近隣に設けた電光表示パネルにおいて多次元ドットコードにより表示する構成とすれば、利用者はテレビジョン映像の主情報を見て興味があれば、電光表示パネル上の多次元ドットコードを撮影することにより即座に簡単に副情報を取り込むことができる。
【発明を実施するための最良の形態】
【００１５】
以下、図面を参照しつつ、本発明の情報授受システムおよび情報授受方法の実施例を説明する。
【実施例１】
【００１６】
本発明の実施例１にかかる情報授受システムおよび情報授受方法を示す。
実施例１の情報授受システムは、情報提供システムが情報の利用者に対して主情報および副情報を提供し、主情報の提供を受けた利用者が任意に情報取り込みシステムを用いて副情報を取り込む情報授受方法を実現した情報授受システムの基本構成例である。
なお、主情報および副情報の内容は特に限定されない。主情報としては、ニュース、広告、ビジネス情報、娯楽情報など、情報提供者が提供したい情報であれば特に限定されない。副情報としては、主情報に関連する情報であって、主情報を認識した一般利用者が取り込む情報であり、例えば、上記の例で言えば、ニュースの提供主体、広告対象を扱う広告主体、ビジネス主体、娯楽施設の運営主体などのＷＷＷ（ワールドワイドウェブ）におけるＵＲＬ（ユニフォームリソースロケーター）や電子メールアドレスなどが想定される。
【００１７】
図１は、本発明の情報提供システムおよび情報取り込みシステムの構成を模式的に説明したブロック図である。
図１に示した情報提供システム１００の構成例は、主情報提供部１１０、副情報提供部１２０、情報提供制御部１３０を備えている。
情報提供制御部１３０は、利用者に対して提供する主情報と副情報の入出力、主情報と副情報の対応などを制御管理する部分である。なお、この例では情報提供制御部１３０が入力インタフェースを備え、主情報および副情報を情報提供システム１００の外部から受け付けることができる構成としている。例えば、情報提供システム１００の運営者が利用者に対して提供する主情報と副情報を情報提供制御部１３０の入力インタフェースを介して入力する。例えば、主情報と副情報はコンピュータシステムが用いるコードデータのフォーマットで情報提供制御部１３０に入力される。情報提供制御部１３０は、入力インタフェースを介して入力された情報から主情報と副情報を分離し、主情報を主情報提供部１１０に渡し、副情報を副情報提供部１２０に渡す。
【００１８】
主情報提供部１１０は、情報提供制御部１３０から渡された主情報を利用者に対して提供する部分である。主情報提供部１１０は主情報表示部１１１を備えている。主情報表示部１１１は与えられたコンピュータデータフォーマット形式の主情報を表示単位の制御情報に変換し、表示単位を制御することにより主情報表示部１１０が備える表示面に文字や映像などで主情報を表示する。スピーカーを備えて聴覚的方法により主情報を提供することも含まれ、さらに、嗅覚的方法、触覚的方法、味覚的方法により主情報を提供することも含まれ得る。
主情報表示部１１１の表示面としてのディスプレイの種類は特に限定されず、電光表示システムの電光表示パネルや、テレビジョンシステムのモニタのような高精細表示が可能なディスプレイなどが含まれる。ディスプレイとして電光表示パネルを用いる場合、主情報は電光文字として表示され、ディスプレイとしてテレビジョンモニタを用いる場合、主情報はテレビジョン映像として表示される。利用者はこれら手段で主情報表示部１１１に表示される主情報を視覚や聴覚により認識する。
【００１９】
副情報提供部１２０は、情報提供制御部１３０から渡された副情報を多次元ドットコードにコード化し、当該多次元ドットコードを表示することにより利用者に副情報を提供する部分である。
図１の構成例では、副情報提供部１２０は、エンコード部１２１と、多次元ドットコード表示部１２２を備えている。
【００２０】
本発明の多次元ドットコードとして、時間要素を持たない縦横の２次元ドットからなる２次元ドットコードや、時間要素を持つ３次元ドットコード、つまり、縦横２次元と時間次元との３次元であり、縦横２次元ドットコードの時間的変化で表現される３次元ドットコードなどがある。なお、これら多次元ドットコードのコード体系は特に限定されない。２次元ドットコードであっても様々なコード体系が想定される。また、３次元ドットコードにおいても様々なコード体系を用いることが可能である。本発明の情報授受システムの運営主体が採用する多次元ドットコードのコード体系を決定する。
【００２１】
エンコード部１２１は、情報提供制御部１３０から渡された副情報を多次元ドットコードに変換する。情報提供制御部１３０から渡された副情報がコンピュータシステムで用いられるコードデータフォーマットであれば、当該データフォーマットの副情報を、採用しているコード体系の多次元ドットコードに変換する。エンコード部１２１はコード化した多次元ドットコード情報を多次元ドットコード表示部１２２に渡す。
【００２２】
多次元ドットコード表示部１２２は、縦横２次元に画素単位が配列された表示部分を持ち、エンコード部１２１から渡された多次元ドットコード情報に基づき、縦横２次元に配列された画素単位それぞれの点灯および消灯を制御して多次元ドットコードを表示する。多次元ドットコードが時間要素を持たない縦横の２次元ドットからなる２次元ドットコードであれば、多次元ドットコード表示部１２２は、その表示面に縦横の２次元ドットからなる２次元ドットコードをいわゆる静止画像として表示する。多次元ドットコードが時間要素を持ち、縦横２次元と時間次元の３次元で縦横の２次元ドットコードの時間的変化として表現される３次元ドットコードであれば、多次元ドットコード表示部１２２は、その表示面に２次元ドットコードが所定時間間隔ごとに変化するいわゆる動画像として３次元ドットコードを表示する。なお、３次元ドットコードの場合は、時系列に表示される３次元ドットコードの各フレームが最初から最後まで完全に撮影できるように、初期画面と多次元ドットコード変化画面と終了画面を一表示単位とし、当該表示単位を繰り返して表示することにより撮影開始と撮影終了のタイミングのずれによるデコード処理への悪影響を除去するなどの工夫を施すことが好ましい。
【００２３】
なお、多次元ドットコード表示部１２２は、画素単位が２次元に配列されたものであれば、その種類は特に限定されない。ＬＥＤ、有機ＥＬ、電球などの発光素子が配列された電光表示パネルや、ＣＲＴ、液晶ディスプレイ、プラズマディスプレイなど高精細表示が可能な表示装置が含まれ得る。ただし、テレビジョンモニタ用のＣＲＴなどにおいてフィールドスキャン方式で画像を描画する場合、情報取り込みシステムのカメラ部２１０を用いた撮影において多次元ドットコードの一部フィールドしか撮影できないおそれがある。ここで、多次元ドットコード表示部１２２の表示面が十分小さい大きさならば、フィールドスキャン方式であっても、多次元ドットコード全体を描画するまで各素子の容量により画像が維持されるので上記フィールドスキャン方式における問題が生じるおそれはない。一方、ディスプレイとして電光表示パネルを用いる場合はフィールドスキャン方式を用いていないので、上記フィールドスキャン方式に見られるような問題は生じない。
【００２４】
図１に示した情報取り込みシステム２００の構成例は、カメラ部２１０、デコード部２２０を備えている。情報取り込みシステム２００は、情報提供システム１００が提供する主情報を認識した利用者が、その興味に応じて情報提供システム１００が提供する多次元ドットコード画像をカメラ部２１０により取り込み、それをデコード部２２０によりデコードすることにより副情報を取り込むシステムである。一例としてカメラ付き携帯電話に適用した例を示す。
カメラ付き携帯電話のカメラ装置部分を本発明の情報取り込みシステムのカメラ部２１０とし、さらに携帯電話の装置筐体の内部にデコード部２２０を組み込んでおく。
【００２５】
カメラ部２１０は画像データを取り込む部分であり、主情報を受けた利用者の操作により、情報提供システム１００の副情報提供部１２０の多次元ドットコード表示部１２２の表示面に表示される多次元ドットコードを撮影することにより多次元ドットコード画像データを取り込む。採用されている多次元ドットコードが時間要素を持たない２次元ドットコードの場合、多次元ドットコード表示部１２２の表示面にいわゆる静止画として表示されている２次元ドットコードをカメラ部２１０により撮影し、静止画データとして取り込む。採用されている多次元ドットコードが縦横２次元と時間次元の３次元ドットコードの場合、多次元ドットコード表示部１２２の表示面にいわゆる動画として表示されている３次元ドットコードをカメラ部２１０により動画撮影し、動画データとして取り込む。カメラ部２１０は取り込んだ多次元ドットコード画像をデコード部２２０に渡す。
【００２６】
デコード部２２０はカメラ部２１０において撮影された多次元ドットコード画像をデコードすることにより副情報を得る部分である。デコード部２２０は情報提供システム１００の副情報提供部１２０が備えるエンコード部１２１のエンコード機能に対応するデコード機能を備えており、多次元ドットコード画像を解析し、エンコード部１２１がエンコードする前のデータフォーマットに逆変換することによりデコードして副情報を得る。多次元ドットコード画像が２次元ドットコードのいわゆる静止画の場合、当該静止画データ中に写り込んでいる２次元ドットコード画像を解析し、当該２次元ドットコードをコンピュータコードデータに逆変換し、副情報を得る。多次元ドットコード画像が３次元ドットコードのいわゆる動画像の場合、当該動画データ中に時系列に写り込んでいるそれぞれの２次元の多次元ドットコード画像およびその時間的変化を解析し、当該３次元ドットコードをコンピュータコードデータに逆変換し、副情報を得る。
利用者はデコード部２２０がデコードした副情報を得る。例えば、情報取り込みシステム２００が多機能型携帯電話機に組み込まれている場合、デコード部２２０が出力インタフェースを備え、デコードして得た副情報を多機能型携帯電話機の制御装置に対して渡し、多機能型携帯電話機が備える液晶画面などのディスプレイに副情報を文字として表示する。
【００２７】
以下、本発明の情報授受システムによる操作の流れの一例を説明する。
最初に、採用されている多次元ドットコードが２次元ドットコードである場合を説明する。
図２は、主情報提供部１１０による主情報の表示と副情報提供部１２０による２次元ドットコードの表示の様子を模式的に示す図である。この例では主情報提供部１１０の主情報表示部１１１がディスプレイを備え、当該ディスプレイに主情報を文字として表示し、その近隣に多次元ドットコード表示部１２２が小型ディスプレイを備え、当該小型ディスプレイに副情報を２次元ドットコードとして表示する例である。
【００２８】
まず、情報提供者となる情報提供システムの運営者が利用者に対して提供したい主情報と副情報を情報提供システム１００に情報提供制御部１３０の入力インタフェースを介して入力する。例えば、情報提供者が旅行業者であり、旅行の広告情報を主情報とし、旅行業者の予約センターのＵＲＬを副情報として入力する。ここでは主情報が「かに食べ放題のお得な・・・」という広告のテキストデータとする。副情報は「ｈｔｔｐ：／／ｗｗｗ・・・」という旅行業者の予約センタのＵＲＬデータとする。双方ともコンピュータコードデータフォーマットの形で情報提供システム１００の情報提供制御部１３０に入力される。
情報提供制御部１３０は、入力情報から主情報と副情報を抽出し、主情報を主情報提供部１１０に与え、副情報を副情報提供部１２０に与える。
【００２９】
主情報を得た主情報提供部１１０の主情報表示部１１１は、与えられたコンピュータデータフォーマット形式の主情報をディスプレイの表示単位の制御情報に変換し、主情報表示部１１１のディスプレイの文字や映像または音声などで表示する。この例では「かに食べ放題のお得な・・・」という広告のテキストデータが主情報表示部１１１のディスプレイに文字として表示される。
【００３０】
一方、副情報を得た副情報提供部１２０は、エンコード部１２１により、コンピュータコードデータフォーマットの副情報を２次元ドットコードである多次元ドットコードにコード化する。エンコード部１２１はコード化した多次元ドットコード情報を多次元ドットコード表示部１２２に渡す。多次元ドットコード表示部１２２は小型ディスプレイの表示単位の点灯消灯を制御して縦横２次元の２次元ドットコードを表示する。
利用者は情報取り込みシステム２００のカメラ部２１０により多次元ドットコード表示部１２２に表示されている２次元ドットコードを撮影し、撮影して得られた２次元ドットコード画像をデコード部２２０によりデコードすることにより、副情報である「ｈｔｔｐ：／／ｗｗｗ・・・」の情報を取り込む。
【００３１】
次に、採用されている多次元ドットコードが２次元ドットコードの時間的変化で表現される３次元ドットコードである場合を説明する。
図３は、主情報提供部１１０による主情報の表示と副情報提供部１２０による３次元ドットコードの表示の様子を模式的に示す図である。多次元ドットコード表示部１２２のディスプレイに表示される２次元ドットコードが時間的に変化して行く様子の一例を模式的に示している。
【００３２】
情報提供制御部１３０による入力情報から主情報と副情報の抽出処理、主情報を得た主情報提供部１１０の主情報表示処理は上記と同様で良い。副情報を得た副情報提供部１２０のエンコード部１２１によるエンコード処理において、コンピュータコードデータフォーマットの副情報を２次元ドットコードの時間的変化として３次元ドットコードにコード化する。多次元ドットコード表示部１２２において小型ディスプレイの表示単位の点灯消灯を制御して２次元ドットコードを時間的に変化させつつ表示する。２次元ドットコードを一定周期ごとに変化させると、２次元ドットコードの遷移画面が得られる。それら遷移画面を図３（ａ）〜（ｅ）に模式的に示した。なお、この例では各々の遷移画面の前後に初期画面と終了画面を挿入している。つまり、一表示単位が、初期画面としての全表示単位点灯画面（（ａ））、副情報をエンコードして得られた各々の遷移画面（（ｂ）〜（ｄ））、終了画面としての全表示単位点灯画面（（ｅ））から構成されている例とした。このように多次元ドットコード表示部１２２の表示面に２次元ドットコードの時間的変化を表示することにより３次元ドットコードを表示する。この初期画面から終了画面までを一表示単位とし、主情報が表示されている間、一定周期で当該表示単位を繰り返し表示することができる。
【００３３】
利用者は情報取り込みシステム２００のカメラ部２１０により多次元ドットコード表示部１２２の表示面に表示されている３次元ドットコードを動画撮影し、撮影して得られた３次元ドットコード画像をデコード部２２０によりデコードすることにより、副情報である「ｈｔｔｐ：／／ｗｗｗ・・・」を得る。なお、デコード部２２０のデコード処理において、初期画面としての全表示単位点灯画面（（ａ））と終了画面としての全表示単位点灯画面（（ｅ））とを特定し、その間の遷移画面（（ｂ）〜（ｄ））をデコードすれば、情報取り込みシステムのカメラによる撮影開始と撮影終了のタイミングによらず、デコードの同期をとることができ、正しく副情報をデコードすることができる。
【実施例２】
【００３４】
本発明の実施例２にかかる情報授受システムおよび情報授受方法を示す。
実施例２の情報授受システムは、電光表示パネルを備え、当該電光表示パネルを用いて利用者に対して主情報および副情報を提供し、本発明の情報取り込みシステムをカメラ付携帯電話に適用し、当該カメラ付携帯電話を用いて利用者が副情報を取り込む情報授受方法を実現した情報授受システムの例である。
実施例２にかかる情報提供システムおよび情報取り込みシステムのブロック構成図は実施例１に示した図１と同様で良い。
【００３５】
情報提供システム１００が縦横２次元に画素単位が配列された電光表示パネル３００を備え、電光表示パネル３００のうち第１の領域を主情報表示部１１１の表示面とし、第２の領域を多次元ドットコード表示部１２２の表示面とし、電光表示パネル３００の第１の領域である主情報表示部１１１の表示面に主情報を電光表示文字で表示し、電光表示パネル３００の第２の領域である多次元ドットコード表示部１２２の表示面に多次元ドットコードを表示する。
電光表示パネル３００の大きさは特に限定されず、また、設置場所も限定されない。大型の電光表示パネルとしてビルの壁面などに設置する例、小型の電光表示パネルとして駅の構内や店舗内に設置する例など多様なものが想定できる。
【００３６】
まず、電光表示文字が横方向に流れるタイプの電光表示パネルに適用した場合の例を示す。図４は電光表示文字が横方向に流れるタイプの電光表示パネル３００へ適用した場合の主情報および多次元ドットコードの表示例を模式的に示した図である。
【００３７】
電光表示パネル３００のうち主情報表示部１１１の表示面である電光表示パネルの第１の領域に、電光表示文字により主情報を表示する。ここでは主情報である「かに食べ放題のお得な・・・」という広告のテキストデータが電光表示されて行く。その間、多次元ドットコード表示部１２２の表示面である電光表示パネルの第２の領域に、多次元ドットコードにより副情報を表示する。表示される多次元ドットコードは実施例１で示したものと同様、静止画としての２次元ドットコードでも良く、動画としての３次元ドットコードであっても良い。
【００３８】
次に、電光表示文字が縦方向に流れるタイプの電光表示パネルに適用した例を示す。図５は電光表示文字が縦方向に流れるタイプの電光表示パネル３００へ適用した場合の主情報および多次元ドットコードの表示例を模式的に示した図である。この例では電光表示パネル３００がビルの外壁４００に設置されている。
電光表示パネル３００のうち主情報表示部１１１の表示面である電光表示パネルの第１の領域に、電光表示文字により主情報を表示する。ここでは主情報である「かに食べ放題のお得な・・・」という広告のテキストデータが電光表示されて行く。その間、多次元ドットコード表示部１２２の表示面である電光表示パネルの第２の領域に、副情報「ｈｔｔｐ：／／ｗｗｗ・・・」をエンコードした多次元ドットコードにより副情報を表示する。表示される多次元ドットコードは実施例１で示したものと同様、静止画としての２次元ドットコードでも良く、動画としての３次元ドットコードであっても良い。
【００３９】
利用者は主情報表示部１１１である電光表示パネルの第１の領域に電光表示された主情報を見て興味があれば、多次元ドットコード表示部１２２の表示面である電光表示パネルの第２の領域をカメラ部２１０により撮影し、撮影画像をデコード部２２０によりデコードすることにより副情報「ｈｔｔｐ：／／ｗｗｗ・・・」を得る。
【実施例３】
【００４０】
本発明の実施例３にかかる情報授受システムおよび情報授受方法を示す。
実施例３の情報授受システムは、縦横２次元に画素単位が配列された電光表示パネルを備え、電光表示パネルが主情報表示部の表示面と多次元ドットコード表示部の表示面を兼ねた構成となっている。
実施例３にかかる情報提供システムおよび情報取り込みシステムのブロック構成図は実施例１に示した図１と同様で良い。
【００４１】
情報提供システム１００が縦横２次元に画素単位が配列された電光表示パネル３００を備え、電光表示パネル３００の全面を主情報表示部１１１の表示面として用いることができる。また、電光表示パネルの全面または一部領域を多次元ドットコード表示部１２２の表示面として用いることもできる。
【００４２】
まず、主情報提供部１１０が電光表示パネル３００の全面を主情報表示部１１１の表示面として用い、主情報を電光表示文字で表示する。図６（ａ）に示すように、主情報である「かに食べ放題のお得な・・・」という広告のテキストデータが電光表示されて行く。
【００４３】
次に、主情報提供部１１０による電光表示パネル３００の全面を用いた主情報の表示が終了すると、当該主情報の電光表示に続いて、副情報提供部１２０が、電光表示パネル３００の表示面の少なくとも一部の表示領域（例えば最後尾部分）を多次元ドットコード表示部１２２の表示面として用いて多次元ドットコードを表示する。図６（ｂ）に示すように、「・・予約センタまで」という主情報の表示終了に引き続いて、副情報「ｈｔｔｐ：／／ｗｗｗ・・・」をエンコードした多次元ドットコードにより副情報を表示する。表示される多次元ドットコードは実施例１で示したものと同様、静止画としての２次元ドットコードでも良く、動画としての３次元ドットコードであっても良い。
【００４４】
利用者は電光表示パネル全面に電光表示された主情報を見て興味があれば、引き続き表示される電光表示パネルの最後尾部分に表示される多次元ドットコードをカメラ部２１０により撮影し、撮影画像をデコード部２２０によりデコードすることにより副情報「ｈｔｔｐ：／／ｗｗｗ・・・」を得る。
【実施例４】
【００４５】
本発明の実施例４にかかる情報授受システムおよび情報授受方法を示す。
実施例４の情報授受システムは、情報提供システムがテレビジョンモニタを含むテレビジョンシステムとテレビジョンモニタの近隣に設けられた縦横２次元に画素単位が配列された電光表示パネルとを備え、主情報提供部がテレビジョンモニタを主情報表示部の表示面として用い、主情報をテレビジョン映像として前記テレビジョンモニタに表示し、副情報提供部が、電光表示パネルを多次元ドットコード表示部の表示面として用い、電光表示パネルに多次元ドットコードを表示する構成例を示したものである。
実施例４にかかる情報提供システムおよび情報取り込みシステムのブロック構成図は実施例１に示した図１と同様で良い。
【００４６】
図７は本実施例の情報提供システム１００の主情報表示部１１１の表示面であるテレビジョンモニタ５１０と多次元ドットコード表示部１２２の表示面である電光表示パネル５２０の例を模式的に示した図である。図７に示すように、テレビジョンシステム５００は、テレビジョンモニタ５１０の近隣に縦横２次元に画素単位が配列された電光表示パネル５２０を備えている。この電光表示パネル５２０を多次元ドットコード表示部１２２の表示面として用い、テレビジョンモニタ５１０の表示面の全面を主情報表示部１１１の表示面として用いている。
【００４７】
主情報表示部１１１であるテレビジョンモニタ５１０に、テレビジョン映像により主情報を表示する。ここでは主情報である「かに食べ放題のお得な・・・」という広告の映像が表示される。その間、副情報「ｈｔｔｐ：／／ｗｗｗ・・・」をエンコードした多次元ドットコードを多次元ドットコード表示部１２２である電光表示パネル５２０に表示する。表示される多次元ドットコードは実施例１で示したものと同様、静止画としての２次元ドットコードでも良く、動画としての３次元ドットコードであっても良い。
【００４８】
利用者はテレビジョンモニタにテレビジョン映像として流された広告情報である主情報を見て興味があれば、多次元ドットコード表示部１２２である電光表示パネルの多次元ドットコードをカメラ部２１０撮影し、当該撮影画像をデコード部２２０によりデコードすることにより副情報「ｈｔｔｐ：／／ｗｗｗ・・・」を得る。
【００４９】
図８に別の構成例を示す。図８の構成例では、図７の構成例に比べ、主情報表示部１１１の表示面であるテレビジョンモニタ５１０の下に設けられている電光表示パネル５２０が大きく、電光表示パネル５２０の左側領域がテレビジョン放送の一サービスである文字放送を表示する表示面であり、電光表示パネルの右側領域が多次元ドットコード表示部１２２の表示面となり多次元ドットコードを表示する例となっている。
【産業上の利用可能性】
【００５０】
利用者に対して情報を提供するシステムに適用することができる。例えば、屋内外に設置される電光表示システム、テレビジョンシステムなどに適用することができる。
【図面の簡単な説明】
【００５１】
【図１】本発明の情報提供システムおよび情報取り込みシステムの構成を模式的に説明したブロック図
【図２】主情報提供部１１０による主情報の提供と副情報提供部１２０による２次元ドットコードの表示の様子を模式的に示す図
【図３】主情報提供部１１０による主情報の提供と副情報提供部１２０による３次元ドットコードの表示の様子を模式的に示す図
【図４】本発明の実施例２にかかる電光表示文字が横方向に流れるタイプの電光表示パネル３００へ適用した場合の主情報および多次元ドットコードの表示例を模式的に示した図
【図５】本発明の実施例２にかかる電光表示文字が縦方向に流れるタイプの電光表示パネル３００へ適用した場合の主情報および多次元ドットコードの表示例を模式的に示した図
【図６】本発明の実施例３にかかる情報提供システム１００の電光表示パネル３００に表示される主情報および副情報の表示例を模式的に示した図
【図７】本発明の実施例４にかかる情報提供システムをテレビジョンシステムに適用した場合の主情報および多次元ドットコードの構成例を模式的に示した図
【図８】本発明の実施例４にかかる情報提供システムをテレビジョンシステムに適用した場合の主情報および多次元ドットコードの他の構成例を模式的に示した図
【符号の説明】
【００５２】
１００  情報提供システム
１１０  主情報提供部
１１１  主情報表示部
１２０  副情報提供部
１２１  エンコード部
１２２  多次元ドットコード表示部
１３０  情報提供制御部
２００  情報取り込みシステム
２１０  カメラ部
２２０  デコード部
３００  電光表示パネル
４００  ビルの外壁
５００  テレビジョンモニタ
５１０  文字放送を表示する表示面
【図１】
2005038181.tif 000003
【図２】
2005038181.tif 000004
【図３】
2005038181.tif 000005
【図４】
2005038181.tif 000006
【図５】
2005038181.tif 000007
【図６】
2005038181.tif 000008
【図７】
2005038181.tif 000009
【図８】
2005038181.tif 000010